(57)【特許請求の範囲】
【請求項１】
便器本体に内装される機能機器の外郭部を便器本体の外部に露出して配設し、外郭部に複数の表示窓を設けると共に、外郭部の内方に前記機能機器の動作状態を表示する複数の表示発光部を各表示窓に個別に臨ませて収納した便器用表示機器において、前記複数の表示発光部を被う導光性を有する保護部材を備えると共に、該保護部材の表示窓側の面に、表示窓から浸入する水を捕捉して便器本体のボウル部内へ導く溝部を形成したことを特徴とする便器用表示機器。
【請求項２】
前記外郭部における表示窓相互間の部位から内方に向かって漏光防止用突起を突設すると共に、前記保護部材の表示窓側の面に設けた溝部が該漏光防止用突起を逃がすための凹部を兼ねる構成となっていることを特徴とする請求項１記載の便器用表示機器。
【請求項３】
前記保護部材に、溝部内に捕捉された水を集水する樋部を垂下形成すると共に、前記機能機器を取り付ける機器取付用ベースに、一端が前記樋部の下開口部に連通し他端が便器本体のボウル部内に連通する流路を形成したことを特徴とする請求項１又は２記載の便器用表示機器。
【発明の詳細な説明】
【技術分野】
【０００１】
本発明は、便器用表示機器に関し、詳しくは便器本体に内装される機能機器の動作状態を使用者に表示して認識させるための便器用表示機器に関するものである。
【背景技術】
【０００２】
従来から、便器本体に電気的に制御される機能機器を収めたケーシングを固定し、ケーシングの内部に機能機器の動作状態を表示する複数のＬＥＤを収納すると共に、各ＬＥＤの発光面をそれぞれ被うように透明なホルダー（保護部材）を配設し、ＬＥＤからの光をホルダーを通してケーシングに設けた表示窓から外部に放出するようにした衛生洗浄便座用表示灯が知られている（例えば、特許文献１参照）。
【０００３】
ところが前記特許文献１に見られる従来例では、ＬＥＤを収納するケーシングが便器本体のボウル部の後方上部、つまり、水が飛散する場所に設置されているため、ケーシングに開口した表示窓から水がケーシング内部に浸入して、機能機器の劣化や電子回路の短絡を引き起こすなどの悪影響を及ぼすという問題がある。
【０００４】
なお、表示窓を透明な防水シートで被うことも考えられるが、この場合、外部光が防水シートの表面部で乱反射したり減衰して、ＬＥＤによる表示内容が見づらくなり、使用者の誤認識や操作ミスを招くといった問題が生じる。
【特許文献１】特開２００１−１２３５００号公報
【発明の開示】
【発明が解決しようとする課題】
【０００５】
本発明は上記の従来の問題点に鑑みて発明したものであって、その目的とするところは、水浸入時の排水機能をもたせることができ、機能機器が悪影響を蒙ることがない便器用表示機器を提供することにあり、さらに近接する別の表示窓への漏光防止を図ることができるコンパクトな便器用表示機器を提供することにある。
【課題を解決するための手段】
【０００６】
前記の課題を解決するために、本発明は、以下の構成を特徴としている。
【０００７】
便器本体２に内装される機能機器７の外郭部５を便器本体２の外部に露出して配設し、外郭部５に複数の表示窓６を設けると共に、外郭部５の内方に前記機能機器７の動作状態を表示する複数の表示発光部８を各表示窓６に個別に臨ませて収納した便器用表示機器４において、前記複数の表示発光部８を被う導光性を有する保護部材９を備えると共に、該保護部材９の表示窓６側の面に、表示窓６から浸入する水を捕捉して便器本体２のボウル部３内へ導く溝部１２を形成した。
【０００８】
このような構成とすることで、表示窓６から浸入した水は溝部１２にて捕捉されてボウル部３内に排水されるので、浸入した水によって電気的に制御される機能機器７が悪影響を蒙ることがなくなる。そのうえ表示窓６に防水シートを被ったりする必要もなくなる。
【０００９】
また前記外郭部５における表示窓６相互間の部位から内方に向かって漏光防止用突起１３を突設すると共に、前記保護部材６の表示窓６側の面に設けた溝部１２が該漏光防止用突起１３を逃がすための凹部１４を兼ねる構成となっているのが好ましく、この場合、漏光防止用突起１３により近接する別の表示窓６への漏光防止を図ることができ、本来消灯しているはずの表示発光部８が点灯しているように見えるという不都合を回避できるようになる。しかも、漏光防止部材を保護部材９の溝部１２（凹部１４）に逃がすことにより外郭部５と保護部材９とを近接配置可能となり、そのうえ保護部材９には溝部１２と凹部１４を別々に設ける必要がなく、保護部材９自体の構造を簡略化、コンパクト化を図ることができる。
【００１０】
また前記保護部材９に、溝部１２内に捕捉された水を集水する樋部１５を垂下形成すると共に、前記機能機器７を取り付ける機器取付用ベース２Ａに、一端が前記樋部１５の下開口部１５ｂに連通し他端が便器本体２のボウル部３内に連通する流路１６を形成するのが好ましく、この場合、溝部１２と樋部１５とによって、浸入した水を機能機器７に触れさせることなく、機器取付用ベース２Ａ上の流路１６を伝ってボウル部３内に排水できるようになる。
【発明の効果】
【００１１】
本発明は、保護部材に溝部を形成して、水浸入時の排水機能をもたせることにより、機能機器が悪影響を蒙ることがなくなると共に、表示窓に防水シートを被ったりする必要がなくなり、防水シートによる見えづらさやコストアップを回避できるものである。
【００１２】
また、漏光防止用突起により近接する別の表示窓への漏光防止を図ることにより、使用者の誤認識や操作ミスを確実に防止できると共に、表示機器のコンパクト化を図ることができるものである。
【発明を実施するための最良の形態】
【００１３】
以下、本発明を添付図面に示す実施形態に基いて説明する。
【００１４】
図１は本実施形態の表示機器４を備えた便器装置１の一例を示している。本例の便器装置１は例えば樹脂成形品からなる局部洗浄一体式の便器本体２と、便座（図示せず）と、便蓋２６とで構成されている。なお局部洗浄部は一体式でもよく、別体を取り付けて形成されたものでも良い。
【００１５】
便器本体２は、封水を貯溜するボウル部３と、これを被うスカート２３と側面板２４等を備えると共に、ボウル部３の後方上部には、スカート２３の上端部に設けたリム２５と連続して立ち上がる立ち上がり部が設けられており、この立ち上がり部の下方に、温水で便器使用者の臀部を洗浄する局部洗浄装置、局部洗浄ノズルへの送水用ポンプ、温風供給用の温風ファン、水道水からの入水を制御する電磁弁、便座ヒータを制御する制御回路等の機能機器７が収納されていると共に、これら機能機器７の動作状態を表示する表示機器４が配設されている。
【００１６】
表示機器４は、ボウル部３の後方上部の立ち上がり部の一部を構成する外郭部５に複数の表示窓６を設けると共に、外郭部５の内方に前記機能機器７の動作状態を表示する複数の表示発光部８を各表示窓６に個別に臨ませて収納したものである。
【００１７】
本例では、複数の表示窓６は一列に設けられ、表示窓６の側方には、例えば図２に示すように、「電源」、局部洗浄ノズルの「自動洗浄」や「洗剤洗浄」等の文字情報が表示されている。各表示窓６に臨んで配置される表示発光部８は、例えばＬＥＤ８ａ（発光ダイオード）で構成されている。
【００１８】
前記複数のＬＥＤ８ａはそれぞれ、導光性を有する保護部材９にて被われている。保護部材９は、ＬＥＤ８ａを水等から防ぐためのもので、ＬＥＤ８ａの光が透過する材料、例えば、ポリカーボネート、アクリル等の樹脂材料で構成される。
【００１９】
保護部材９のＬＥＤ８ａ側の裏面部９ｂには、図３に示すように、ＬＥＤ８ａの発光方向と対向するレンズ形状部１１が各ＬＥＤ８ａごとに複数形成されている。レンズ形状部１１は、本例ではＬＥＤ８ａに対向した側が凸面となるように配設された凸レンズで形成されており、またレンズ形状部１１の表面は鏡面仕上げされている。なお図３中の２０はＬＥＤ８ａの周りを包み込む筒部、２１はＬＥＤ基板８ｂの周囲を包囲するカバー部、２２は保護部材９をＬＥＤ基板８ｂにネジ固定する固定部である。
【００２０】
一方、保護部材９の表示窓６側の表面部９ａには、各表示窓６に嵌め込まれて各ＬＥＤ８ａからの光を外部に放出する凸状導光部１０が前記レンズ形状部１１ごとに複数形成されている。これらレンズ形状部１１と凸状導光部１０は、ＬＥＤ８ａの光軸と同軸上に配置されている。
【００２１】
さらに、この凸状導光部１０の周囲には、表示窓６と凸状導光部１０間の隙間から浸入する水を捕捉する溝部１２が形成されている。この溝部１２は、図４に示すように、各凸状導光部１０の上端面よりも低い位置で且つ各凸状導光部１０の外周部をそれぞれ囲むように、凸状導光部１０ごとに環状に形成されていると共に、これら環状の溝部１２は互いに連通している。この溝部１２は、表示窓６と凸状導光部１０間の隙間から浸入した水を捕捉するものであり、さらに保護部材９の端部には、溝部１２にて捕捉された水を集水する樋部１５が垂下形成されている。
【００２２】
樋部１５の上開口部１５ａは溝部１２に連通し、下開口部１５ｂはボウル部３内に通じる流路１６に連通している。この流路１６は、図６に示すように、機能機器７を取り付ける機器取付用ベース２Ａ上に形成されている。流路１６の一端は樋部１５の下開口部１５ｂに連通し、他端は便器本体２のボウル部３内に開放されている。なお、図７はこの流路１６に沿った水の流れ方向を外郭部５側から見た図である。つまり、図６の流路１６の方向と図７の矢印１６の方向とが対応している。
【００２３】
しかして、便器用表示機器４が水が飛散する場所に設置された場合において、表示窓６と凸状導光部１０との隙間から浸入した水は溝部１２にて捕捉されて樋部１５に集水され、さらに樋部１５から流下した水は機器取付用ベース２Ａの流路１６上に流れ落ち、流路１６に伝って便器本体２のボウル部３内へ排水される構造となる。つまり、溝部１２と樋部１５とによって、溝部１２内で捕捉された浸入水を機能機器７に触れさせることなく、機器取付用ベース２Ａ上の流路１６上に流し落とすことができる。従って、表示窓６から浸入した水によって電気的に制御される機能機器７が悪影響を蒙ることがなくなる。そのうえ表示窓６に防水シートを被ったりする必要がなくなり、防水シートによる見えづらさやコストアップを回避できるものである。
【００２４】
また、ＬＥＤ８ａからの光は凸レンズ状のレンズ形状部１１に集光され平行光となって、表示窓６に嵌め込まれた凸状導光部１０から外部に放出されるので、ＬＥＤ８ａの光が一層見えやすくなる利点や、ＬＥＤ８ａと保護部材９との位置関係が若干ずれた場合でも、レンズ形状部１１によってＬＥＤ８ａの光を保護部材９の凸状導光部１０に確実に伝達できる利点が得られる。さらに本例ではレンズ形状部１１を鏡面仕上げしているので、ＬＥＤ８ａからレンズ形状部１１への集光効率をより一層高めることができると共に保護部材９の成形時においては金型からの型離れを良くでき、歩留まりが向上する利点も得られる。
【００２５】
次に、近接する表示窓６への漏光防止構造を説明する。ちなみに、ＬＥＤ８ａを導光性のある保護部材９により被った場合は、ＬＥＤ８ａの光が保護部材９を伝って漏れることがあり、別の表示窓６においてＬＥＤ８ａが消灯しているにもかかわらずあたかも点灯しているように見えてしまい、使用者の誤認識を招くことがある。
【００２６】
そこで本実施形態では、図３、図５に示すように、表示窓６が形成されている外郭部５に、表示窓６相互間の部位から内方に向かってそれぞれ漏光防止用突起１３を突設させている。なお図５中の２７は便蓋２６軸の挿通穴である。本例の漏光防止用突起１３は、リブ形状をしている。一方、保護部材９の表面部９ａには、前記のように溝部１２が形成されており、この溝部１２を漏光防止用突起１３を逃がすための凹部１４として兼用している。これら溝部１２（凹部１４）と漏光防止用突起１３とでＬＥＤ８ａ相互間で光を完全に分離できるようになる。なお、漏光防止用突起１３は図３のように溝部１２との間で所定の隙間をあくように挿入されており、溝部１２による浸入水の捕捉機能が損なわれないようにしている。
【００２７】
しかして、漏光防止用突起１３によって保護部材９をＬＥＤ８ａ単位で仕切ることができる。しかもレンズ形状部１１によってＬＥＤ８ａからの光が平行光に集光されるのでＬＥＤ８ａの放射角を狭くできる。従って、ＬＥＤ８ａの光が保護部材９を伝って近接する他の表示窓６へ漏れるようなことがなくなり、本来消灯しているはずのＬＥＤ８ａが点灯しているように見えるという不都合を回避することができ、使用者の誤認識や操作ミスを確実に防止できるようになり、また光漏れを防止することで、ＬＥＤ８ａの光量が充分なものとなり、使用者の視覚に十分識別できるようになり、高輝度のＬＥＤ８ａを使用しなくても済み、コスト高を回避できる。さらに、漏光防止部材を溝部１２（凹部１４）に逃がすことによって、外郭部５に近づけて保護部材９を配置でき、表示装置の小型化に寄与できるようになり、そのうえ溝部１２が凹部１４を兼ねることで保護部材９には溝部１２と凹部１４とを別々に設ける必要がなく、保護部材９自体の構造を簡略化、コンパクト化できる利点もある。
【００２８】
なお、前記実施形態では、表示発光部８にＬＥＤ８ａを用いたが、ＬＥＤ８ａ以外の光源を用いてもよい。
【００２９】
また、前記実施形態では保護部材９の表面側に凸状導光部１０を設けたが、この凸状導光部１０を省略して保護部材９の表面をフラットに形成したものであってもよい。
【図面の簡単な説明】
【００３０】
【図１】本発明の実施形態に用いる便器用表示機器を備えた便器装置の斜視図である。
【図２】同上の便器用表示機器を表示窓側から見た該略図である。
【図３】同上の便器用表示機器の側面断面図である。
【図４】同上の表示発光部の保護部材を上面側から見た斜視図
【図５】同上の外郭部に設けられる表示窓を裏面側から見た斜視図である。
【図６】同上の機能機器を取り付ける機器取付用ベースの上面に設けた排水路を説明する平面図である。
【図７】図６の機器取付用ベースの排水路に沿った水の流れ方向を説明する外郭部の裏面側から見た斜視図である。
【符号の説明】
【００３１】
１  便器装置
２  便器本体
２Ａ  機器取付用ベース
３  ボウル部
４  表示機器
５  外郭部
６  表示窓
７  機能機器
８  表示発光部
９  保護部材
１０  凸状導光部
１１  レンズ形状部
１２  溝部
１３  漏光防止用突起
１４  凹部
１５  樋部
１６  流路
【図１】
0004915596.tif 000002
【図２】
0004915596.tif 000003
【図３】
0004915596.tif 000004
【図４】
0004915596.tif 000005
【図５】
0004915596.tif 000006
【図６】
0004915596.tif 000007
【図７】
0004915596.tif 000008